(57)【特許請求の範囲】
【請求項１】
複数の電子部品が実装されたプリント基板が筐体内に配置された情報処理装置において、
前記筐体の内部に形成され、前記プリント基板が所定の位置に挿入されるようにガイドするガイド溝と、
前記プリント基板の背面部付近で、かつ、前記ガイド溝に当接する側の側面に設けられた切り欠き部と、
前記ガイド溝に沿って挿入された前記プリント基板の前記切り欠き部に係合し、前記プリント基板を係止する前記筐体に設けられた係止部と、
を有し、前記係止部は、
前記プリント基板の前記ガイド溝と当接する側面に沿って配置された可撓性を有する板状部材と、
前記板状部材の先端部に設けられた前記プリント基板の前記切り欠き部と係合する突起部と、を有し、
前記板状部材は、前記切り欠き部に近づく程、前記プリント基板の側面に接近していることを特徴とする情報処理装置。
【発明の詳細な説明】
【０００１】
【発明の属する技術分野】
本発明は情報処理装置に関し、特に、複数の電子部品が実装されたプリント基板が筐体内に配置された情報処理装置に関する。
【０００２】
【従来の技術】
近年、情報処理の製造コストを削減するために種々の工夫がなされている。例えば、組立作業を簡略化することにより、人件費を削減し、情報処理装置の製造コストを削減する方法もその一例である。
【０００３】
図８は、従来における情報処理装置の一例を示す組み立て図である。
この図において、筐体１はプリント基板２を内蔵し、プリント基板２を保護する。
【０００４】
筐体１の内側の上下（図の上下）側面には、プリント基板２が所定の位置に挿入されるようにガイドするガイド溝１ａ，１ｂがそれぞれ形成されている。また、筐体１の入り口側（プリント基板２が挿入される側）の側面には、蓋部３の係止部３ａ〜３ｄと係合する孔１ｃ〜１ｈが形成されている。なお、この図には示されていないが、筐体１の上部には係止部３ｄと係合する孔が形成されており、また、蓋部３の図示されていない側の側面には、筐体１の孔１ｆ〜１ｈと係合する３つの係止部が形成されている。
【０００５】
プリント基板２には複数の電子部品（図示せず）やコネクタ２ｃ，２ｄが実装されており、外部の装置（以下、外部装置と称す）から供給された信号に対して所定の処理を施し、対応する外部装置に対して出力する。
【０００６】
蓋部３は、筐体１の入り口側に装着され、プリント基板２が筐体１から脱落しないように固定する。蓋部３の筐体１側の側面には、筐体１と係止するための係止部３ａ〜３ｄが形成されている。また、蓋部３には、スリット３ｅが設けられており、この部分にプリント基板２のコネクタ２ｃが嵌合される。
【０００７】
【発明が解決しようとする課題】
ところで、図８に示す情報処理装置では、プリント基板２は、筐体１の内部側面に設けられたガイド溝１ａ，１ｂに沿って挿入され、蓋部３が装着されるとこの部分によって筐体１内に固定される。従って、プリント基板２は、実質的に蓋部３のみによって筐体１内に固定されていることになる。
【０００８】
このような従来の情報処理装置において、何らかの外力や衝撃が加わった場合には、プリント基板２にかかる力が蓋部３に集中し、蓋部３が筐体１から外れてプリント基板２が筐体１から脱落する場合があるという問題点があった。
【０００９】
そこで、そのような事態を回避するために、例えば、プリント基板２をネジ等によって筐体１に固定する方法が考えられるが、そのような構成にすると組立作業が煩雑になり、コストの削減が困難になるとともにプリント基板２の取り外しにおいても作業が煩雑になるという問題点があった。
【００１０】
【課題を解決するための手段】
本発明では上記課題を解決するために、複数の電子部品が実装されたプリント基板が筐体内に配置された情報処理装置において、前記筐体の内部に形成され、前記プリント基板が所定の位置に挿入されるようにガイドするガイド溝と、前記プリント基板の背面部付近で、かつ、前記ガイド溝に当接する側の側面に設けられた切り欠き部と、前記ガイド溝に沿って挿入された前記プリント基板の前記切り欠き部に係合し、前記プリント基板を係止する前記筐体に設けられた係止部と、を有し、前記係止部は、前記プリント基板の前記ガイド溝と当接する側面に沿って配置された可撓性を有する板状部材と、前記板状部材の先端部に設けられた前記プリント基板の前記切り欠き部と係合する突起部と、を有し、前記板状部材は、前記切り欠き部に近づく程、前記プリント基板の側面に接近していることを特徴とする情報処理装置が提供される。
【００１１】
ここで、ガイド溝は、筐体の内部に形成され、プリント基板が所定の位置に挿入されるようにガイドする。切り欠き部は、プリント基板の背面部付近で、かつ、ガイド溝に当接する側の側面に設けられている。係止部は、筐体に設けられており、ガイド溝に沿って挿入されたプリント基板の切り欠き部に係合し、プリント基板を係止する。プリント基板を取り外すときは、筐体に設けた孔から治具を挿入することで治具がプリント基板の側面に接近している板状部材をその側面から離れる方向に押し、突起部を切り欠き部から外すことで、係止部の係止を解除する。
【００１２】
【発明の実施の形態】
図１は、本発明の実施の形態の構成例を示す組み立て図である。なお、この図において、図８の場合と対応する部分には同一の符号を付してあるので、その説明は適宜省略する。
【００１３】
この図の例では、図８の場合と比較して、プリント基板２の背面部付近の上部側面２ａおよび下部側面２ｂにそれぞれ切り欠き２ｅ，２ｆが形成されている。また、この図には示されていないが、筐体１の内部に係止部が新たに設けられ、係止部の近傍にプリント基板２を取り外すための治具を挿入するための孔が新たに設けられている。その他の構成は、図８の場合と同様である。
【００１４】
図２は、筐体１を図１に示すＸ方向から眺めた場合の断面図である。この図に示すように、筐体１の内側の上下側面には、ガイド溝１ａ，１ｂがそれぞれ設けられており、ガイド溝１ａ，１ｂの末端付近には、係止部１ｉ，１ｊが設けられている。また、係止部１ｉ，１ｊの近傍には、治具を挿入するための孔１ｋ，１ｍが形成されている。
【００１５】
図３は、図２に示す係止部１ｉの周辺部を拡大した図である。この図に示すように、係止部１ｉは、筐体１の背面部から伸出し、先端部に鈎状の突起を有する板状部材によって構成されている。
【００１６】
係止部１ｉのプリント基板２側の面は、先端部に至る程プリント基板２との距離が短くなるように構成されており、先端部と付け根の部分の距離差はｄとなっている。なお、これは後述するように、プリント基板２を取り外すための治具を挿入する場合の便宜を資すためである。
【００１７】
係止部１ｉの下側には、治具を挿入するための孔１ｋが形成されている。
図４は、プリント基板２が挿入された場合における係止部１ｉの周辺部を拡大した図である。
【００１８】
この図に示すように、プリント基板２が挿入されると、係止部１ｉの突起部が切り欠き２ｅに係合し、プリント基板２が筐体１に固定されることになる。
従って、装置に対して何らかの外力や衝撃が加わった場合、プリント基板２に加わる力は係止部１ｉ，１ｊを介して筐体１の背面部に伝達されるので、蓋部３に対して過大な力が加わり、その結果、蓋部３が外れることを防止できる。
【００１９】
次に、以上のようにして組み立てられた装置から、プリント基板２を取り外す場合について説明する。
例えば、装置に何らかの不具合が発生した場合には、プリント基板２を取り外して調べる必要が生ずるが、本実施の形態では所定の治具を用いることにより取り外し作業を容易にしかも迅速に行うことができる。
【００２０】
図５は、プリント基板取り外し用治具（以下、単に治具と称す）の構成例を示す図である。この図に示すように、治具４は挿入部４ａ，４ｂと、これらを連結する連結部４ｃによって構成されている。
【００２１】
図６は、挿入部４ａの詳細な構成例を示す図である。この図に示すように、挿入部４ａは、球状部材４ｄ、棒状部材４ｅ、および、基板押圧部４ｆによって構成されている。
【００２２】
球状部材４ｄは、孔１ｋに対する挿入をスムーズにするためと、係止部１ｉを上方向（図の上方向）に押し上げるために具備されている。
棒状部材４ｅは、球状部材４ｄと連結部４ｃとを接続する。
【００２３】
基板押圧部４ｆは、孔１ｋに挿入された際に、プリント基板２を押圧して筐体１から排出する。
図７は、治具４が挿入された場合における係止部１ｉの周辺部を示す図である。
【００２４】
この図に示すように、治具４が挿入されると、係止部１ｉとプリント基板２との間の距離は図３に示すように切り欠き２ｅに近づく程小さくなっているので、球状部材４ｄにより係止部１ｉが上方向に押し上げられた状態となり、その結果、係止部１ｉの突起部が切り欠き２ｅから外れた状態となる。
【００２５】
また、このとき、基板押圧部４ｆは、プリント基板２の側面２ｆを押圧するので、プリント基板２は筐体１の外部に向かって移動される。
このような動作は、係止部１ｊ側においても行われるので、プリント基板２は係止部１ｉ，１ｊによる係止が解除され、筐体１の外側に向かって移動されることになる。その結果、筐体１からプリント基板２を取り外すことが可能となる。
【００２６】
以上に示したように、本発明の実施の形態によれば、プリント基板２の上部側面２ａおよび下部側面２ｂに対して切り欠き２ｅ，２ｆをそれぞれ設け、また、筐体１の内側の上下側面に対して係止部１ｉ，１ｊを設け、プリント基板２が筐体１に挿入された場合にはこれらが互いに係合して固定されるようにしたので、組立作業を簡便化することが可能となる。
【００２７】
また、係止部１ｉ，１ｊの近傍に孔１ｋ，１ｍを設け、治具４を挿入して係止部１ｉ，１ｊのロックを解除するようにしたので、分解作業も簡便化することが可能となる。
【００２８】
なお、本実施の形態では、２つの係止部を設けるようにしたが、１つであってもよい。
【００２９】
【発明の効果】
以上説明したように本発明では、複数の電子部品が実装されたプリント基板が筐体内に配置された情報処理装置において、筐体の内部に形成され、プリント基板が所定の位置に挿入されるようにガイドするガイド溝と、プリント基板の背面部付近で、かつ、ガイド溝に当接する側の側面に設けられた切り欠き部と、ガイド溝に沿って挿入されたプリント基板の切り欠き部に係合し、プリント基板を係止する筐体に設けられた係止部と、を有するようにしたので、情報処理装置の組立作業を簡易化することが可能となる。また、プリント基板を取り外すときは、筐体に設けた孔から治具を挿入することで治具がプリント基板のガイド溝に当接する側の側面より低くなっている側面と係止部との間に挿入され、係止部をその低くなっている側面から離れる方向に押して係止部の係止を解除するので、プリント基板の取り外し作業を簡易化することが可能となる。
【図面の簡単な説明】
【図１】本発明の実施の形態の構成例を示す組立図である。
【図２】図１に示す筐体をＸ方向から眺めた場合の断面図である。
【図３】図１に示す係止部１ｉの周辺部を拡大して示す拡大図である。
【図４】プリント基板が挿入された場合における係止部１ｉの周辺部を拡大して示す拡大図である。
【図５】プリント基板を取り外す場合に用いる治具の構成例を示す図である。
【図６】治具の挿入部を拡大して示す拡大図である。
【図７】治具が挿入された場合における係止部１ｉの周辺部を拡大して示す拡大図である。
【図８】従来における情報処理装置の構成例を示す組立図である。
【符号の説明】
１  筐体
１ａ，１ｂ  ガイド溝
１ｃ〜１ｈ  孔
１ｉ，１ｊ  係止部
１ｋ，１ｍ  孔
２  プリント基板
２ａ  上部側面
２ｂ  下部側面
２ｃ，２ｄ  コネクタ
２ｅ，２ｆ  切り欠き
３  蓋部
３ａ〜３ｄ  係止部
３ｅ  スリット
４  治具
【図１】
0003921896.tif 000002
【図２】
0003921896.tif 000003
【図３】
0003921896.tif 000004
【図４】
0003921896.tif 000005
【図５】
0003921896.tif 000006
【図６】
0003921896.tif 000007
【図７】
0003921896.tif 000008
【図８】
0003921896.tif 000009